(57)【特許請求の範囲】
【請求項１】
予め定められた所定の数字列から構成される自端末の位置情報のうち、任意の桁の数字を他端末に対して送信する一の端末と、
予め定められた所定の数字列から構成される前記他端末の位置情報のうち、前記任意の桁と同じ桁の数字が、前記任意の桁の数字から所定の数値範囲内にあるとき、前記任意の桁と異なる桁の数字を前記一の端末に対して送信する他の端末と、
を含み、
前記一の端末は、前記他の端末における前記任意の桁と異なる桁の数字が、前記一の端末における前記任意の桁と異なる桁と同じ桁の数字から所定の数値範囲内にあるとき、前記他の端末を記憶することを特徴とする近傍端末抽出システム。
【請求項２】
前記任意の桁は、前記所定の数字列のうち、最下位の桁から順番に送信されることを特徴とする請求項１記載の近傍端末抽出システム。
【請求項３】
予め定められた所定の数字列から構成される自端末の位置情報を計測する計測手段と、
前記計測された位置情報を記憶する記憶手段と、
前記位置情報のうち任意の桁の数字を他端末に対して送信する送信手段と、
予め定められた所定の数字列から構成される前記他端末の位置情報のうち、前記任意の桁と同じ桁の数字が前記任意の桁の数字から所定の数値範囲内にあるとき、前記他端末から送信される前記任意の桁と異なる桁の数字を受信する受信手段と、
前記任意の桁と異なる桁の数字が、前記自端末における前記任意の桁と異なる桁と同じ桁の数字から所定の数値範囲内にあるか否かを判定する判定手段と、
前記判定手段により前記所定の数値範囲内にあると判定された前記他端末を記憶する記憶手段と、
を含むことを特徴とする情報端末。
【請求項４】
前記送信手段は、前記記憶手段に記憶された前記他端末に対してのみ、前記他端末との間で従前に送受信が行われた何れの桁とも異なる桁の数字を送信することを特徴とする請求項３記載の情報端末。
【請求項５】
一の端末が、予め定められた所定の数字列から構成される自端末の位置情報のうち、任意の桁の数字を他端末に対して送信する工程と、
他の端末が、予め定められた所定の数字列から構成される前記他端末の位置情報のうち、前記任意の桁と同じ桁の数字が、前記任意の桁の数字から所定の数値範囲内にあるとき、前記任意の桁と異なる桁の数字を前記一の端末に対して送信する工程と、
を含み、
前記一の端末は、前記他の端末における前記任意の桁と異なる桁の数字が、前記一の端末における前記任意の桁と異なる桁と同じ桁の数字から所定の数値範囲内にあるとき、前記他の端末を記憶する工程を含むことを特徴とする近傍端末抽出システムの制御方法。
【請求項６】
近傍端末抽出システムのコンピュータに、
一の端末が、予め定められた所定の数字列から構成される自端末の位置情報のうち、任意の桁の数字を他端末に対して送信する処理と、
他の端末が、予め定められた所定の数字列から構成される前記他端末の位置情報のうち、前記任意の桁と同じ桁の数字が、前記任意の桁の数字から所定の数値範囲内にあるとき、前記任意の桁と異なる桁の数字を前記一の端末に対して送信する処理と、
を実行させ、
前記一の端末が、前記他の端末における前記任意の桁と異なる桁の数字が、前記一の端末における前記任意の桁と異なる桁と同じ桁の数字から所定の数値範囲内にあるとき、前記他の端末を記憶する処理を実行させるための制御プログラム。
【発明の詳細な説明】
【技術分野】
【０００１】
本発明は、近傍端末抽出システム、情報端末、制御方法、及び制御プログラムに関する。
【背景技術】
【０００２】
昨今、携帯電話機等の情報端末の普及に伴って、多くの人達が集まる場所に出向いた情報端末のユーザが、近くに存在する情報端末、すなわち、近くに居る相手の人物の存在を相互に報知し合うために、ユーザを識別するための情報を予め第三者サービス機関に登録しておき、登録されたユーザの情報端末から発信される信号を検出することにより、当該ユーザの情報端末の位置情報が取得され、当該取得されたユーザの情報端末の現在位置の付近に存在する、予め当該第三者サービス機関に登録された他のユーザの情報端末に対して、現在位置が取得されたユーザの情報端末に関するアクセス情報（当該ユーザの位置情報等）が報知されることにより、近くに居るユーザの存在を通知するシステムが知られている（例えば、特許文献１）。
【先行技術文献】
【特許文献】
【０００３】
【特許文献１】特開２００４−３２８３０８号公報
【発明の概要】
【発明が解決しようとする課題】
【０００４】
しかしながら、特許文献１に開示されたシステムにおいては、あるユーザが、近くに居る相手の人物の情報端末の存在を知るために検出される当該ユーザの情報端末の位置情報は、第三者サービス機関を通じて近くに居る相手の人物に対して報知され、その情報に基づいて、近くに居る相手の人物が先のユーザの存在する場所へ出向くことになるため、複数存在する他のユーザの中から自分の近くに居る他のユーザを選別するに際し、自分の情報端末の大雑把な位置情報とはいっても、必ずしも近くに居るとはいえない他のユーザに対しては、できる限り自分の位置情報を通知して欲しくないないという要望があるのも事実である。
【０００５】
また、自分の近くに居るか否かとは無関係に、他の複数のユーザと位置情報の交換をするのではなく、効率的に近くに居る相手を探すため、ブロードキャスト的に自分の位置情報を交換したいという要望もある。さらに、他の複数のユーザの中には、近くに居る相手を探しているユーザに対して、自らの位置情報を偽って通知することにより、不正に当該ユーザの位置情報が取得され、ストーカー紛いの行為が誘発されてしまうという問題もある。
【０００６】
また、ユーザとしても、時と場合によってはプライバシー等との関連から、自分の位置情報を秘密にしたい、知られたくないという状況も考え得るが、当該第三者サービス機関に予め登録されたユーザは、当該ユーザの情報端末の位置情報が、基本的には当該第三者サービス機関により検出、交換されてしまうことから、当該第三者サービス機関に対して明かしたくない位置情報までも開示されてしまい、当該第三者サービス機関が登録されているユーザの位置情報をすべて把握しているという点についても情報管理上問題が有るという指摘もある。
【０００７】
そこで本発明は、上記従来の問題点に鑑みてなされたもので、複数のユーザの中から自分の現在位置に近いユーザを探す際に、双方共完全に位置情報を隠蔽しつつ、近くに居るユーザを選別することができる近傍端末抽出システム、情報端末、制御方法、及び制御プログラムを提供することを目的とする。
【課題を解決するための手段】
【０００８】
上記課題を解決するため、請求項１に記載の本発明における近傍端末抽出システムは、予め定められた所定の数字列から構成される自端末の位置情報のうち、任意の桁の数字を他端末に対して送信する一の端末と、予め定められた所定の数字列から構成される前記他端末の位置情報のうち、前記任意の桁と同じ桁の数字が、前記任意の桁の数字から所定の数値範囲内にあるとき、前記任意の桁と異なる桁の数字を前記一の端末に対して送信する他の端末と、を含み、前記一の端末は、前記他の端末における前記任意の桁と異なる桁の数字が、前記一の端末における前記任意の桁と異なる桁と同じ桁の数字から所定の数値範囲内にあるとき、前記他の端末を記憶することを特徴とする。
【０００９】
また、本発明における近傍端末抽出システムは、請求項１に記載の近傍端末抽出システムにおいて、前記任意の桁は、前記所定の数字列のうち、最下位の桁から順番に送信されることを特徴とする。
【００１０】
さらに、上記課題を解決するため、請求項３に記載の本発明における情報端末は、予め定められた所定の数字列から構成される自端末の位置情報を計測する計測手段と、前記計測された位置情報を記憶する記憶手段と、前記位置情報のうち任意の桁の数字を他端末に対して送信する送信手段と、予め定められた所定の数字列から構成される前記他端末の位置情報のうち、前記任意の桁と同じ桁の数字が前記任意の桁の数字から所定の数値範囲内にあるとき、前記他端末から送信される前記任意の桁と異なる桁の数字を受信する受信手段と、前記任意の桁と異なる桁の数字が、前記自端末における前記任意の桁と異なる桁と同じ桁の数字から所定の数値範囲内にあるか否かを判定する判定手段と、前記判定手段により前記所定の数値範囲内にあると判定された前記他端末を記憶する記憶手段と、を含むことを特徴とする。
【００１１】
また、本発明における情報端末は、請求項３に記載の情報端末において、前記送信手段は、前記記憶手段に記憶された前記他端末に対してのみ、前記他端末との間で従前に送受信が行われた何れの桁とも異なる桁の数字を送信することを特徴とする。
【００１２】
そして、上記課題を解決するため、請求項５に記載の本発明における近傍端末抽出システムの制御方法は、一の端末が、予め定められた所定の数字列から構成される自端末の位置情報のうち、任意の桁の数字を他端末に対して送信する工程と、他の端末が、予め定められた所定の数字列から構成される前記他端末の位置情報のうち、前記任意の桁と同じ桁の数字が、前記任意の桁の数字から所定の数値範囲内にあるとき、前記任意の桁と異なる桁の数字を前記一の端末に対して送信する工程と、を含み、前記一の端末は、前記他の端末における前記任意の桁と異なる桁の数字が、前記一の端末における前記任意の桁と異なる桁と同じ桁の数字から所定の数値範囲内にあるとき、前記他の端末を記憶する工程を含むことを特徴とする。
【００１３】
また、上記課題を解決するため、請求項６に記載の本発明における近傍端末抽出システムの制御プログラムは、近傍端末抽出システムのコンピュータに、一の端末が、予め定められた所定の数字列から構成される自端末の位置情報のうち、任意の桁の数字を他端末に対して送信する処理と、他の端末が、予め定められた所定の数字列から構成される前記他端末の位置情報のうち、前記任意の桁と同じ桁の数字が、前記任意の桁の数字から所定の数値範囲内にあるとき、前記任意の桁と異なる桁の数字を前記一の端末に対して送信する処理と、を実行させ、前記一の端末が、前記他の端末における前記任意の桁と異なる桁の数字が、前記一の端末における前記任意の桁と異なる桁と同じ桁の数字から所定の数値範囲内にあるとき、前記他の端末を記憶する処理を実行させることを特徴とする。
【発明の効果】
【００１４】
本発明によれば、現在位置が近いユーザを探す際に、お互いに正確な位置情報を隠蔽しつつ、近傍ユーザを選別することができる近傍端末抽出システム、情報端末、制御方法、及び制御プログラムを得ることができる。
【図面の簡単な説明】
【００１５】
【図１】本発明の実施形態における近傍端末抽出システム全体の構成を示すブロック図である。
【図２】本発明の実施形態における一の端末の動作を示すフローチャート図である。
【図３】本発明の実施形態における他の端末の動作を示すフローチャート図である。
【図４】本発明の実施形態における一の端末における任意の桁と同じ桁の数字が、他の端末において所定の数値範囲内にあるか否かを判定することを説明する図である。
【発明を実施するための形態】
【００１６】
次に、本発明を実施するための形態について図面を参照して詳細に説明する。なお、各図中、同一又は相当する部分には同一の符号を付しており、その重複説明は適宜に簡略化乃至省略する。
【００１７】
図１は、本発明の実施形態における近傍端末抽出システム全体の構成を示すブロック図である。図１において、携帯電話機、ＰＤＡ（Personal Digital Assistant）、可搬型のパーソナルコンピュータ等の一の情報端末１０及び他の情報端末２０〜２３は、ＧＰＳ（Global Positioning System）からの電波を受信して自分の現在の位置情報を計測する位置情報計測部１１０、２１０と、自分の情報端末の位置情報に関する情報を相手側の情報端末に対して送信する送信部１２０、２２０と、相手側の情報端末からから送信された位置情報に関する情報を受信する受信部１３０、２３０と、相手側の情報端末から送信された位置情報に関する情報に基づいて、当該相手側の情報端末が、自分の情報端末の近傍に存在するか否かを判定する判定部１５０、２５０と、自分の情報端末の位置情報と自分の情報端末の近傍に存在する相手側の情報端末の位置情報とを記憶する記憶部１４０、２４０とから構成される。なお、図示はしていないが、自端末の位置情報を記憶、送信する際や、相手側の端末の位置情報を受信、記憶する際に２進、４進、８進といったコード値に変換するためのエンコード部をさらに備えていても良い。
【００１８】
なお、位置情報の計測は、上述したＧＰＳによるものであっても、自端末の位置情報をデスクトップ上に予め登録しておいたものであっても良く、特に制限はない。また、図１においては、他の情報端末として、符号２０〜２３の４台のみを掲載しているが、他の情報端末の台数は４台に限られることなく、任意の台数の他の情報端末が、一の情報端末１０の近傍ないしは遠方に複数存在しているものとする。
【００１９】
次に、本発明の実施形態における一の情報端末１０の動作について説明する。図２は、本発明の実施形態における一の情報端末の動作を示すフローチャート図である。図２の説明に当たり、前提条件として、近傍に居る他の情報端末２０〜２３を探す一の情報端末１０のユーザをＵ0、ユーザＵ0の近傍又は遠方に居り、これから近傍検索がなされる他の情報端末２０〜２３のユーザの集合をＵｓｅｔとし、ＧＰＳ等で測量したユーザＵ0の現在位置Ｐu0を２次元（ＸＹ）座標で表すと共に、このＸＹ座標で表された現在位置を、各座標毎に桁毎に分解する。例えば、Ｐu0＝（１３、６５）とすると、Ｐu0x10＝１、Ｐu0x01＝３、Ｐu0y10＝６、Ｐu0y01＝５となる。そして、Ｕ0の知り合いユーザ集合をＵｓｅｔに設定し、Ｕｓｅｔに対して、Ｐu0x01をブロードキャスト配信するものとする。
【００２０】
図２において、まず、一の情報端末１０は、ユーザ集合Ｕｓｅｔを初期化し（ステップ（以下、「Ｓ」という。）２０）、他の情報端末のユーザ集合Ｕｓｅｔに属するＵａに対して、自端末の現在位置Ｘの最下位桁であるＰu0x01＝３を送信する（Ｓ２１）。そうすると、ユーザ集合Ｕｓｅｔに属するＵａから、Ｕａが居るＸＹ座標で表された現在位置の中から、Ｕａの現在位置Ｙの最下位桁であるＰuay01を受信する（Ｓ２２）。一の情報端末１０は、判定部１５０において、当該受信されたＰuay01に基づいて、他の情報端末Ｕａが自端末の近傍に居る可能性があるか否かを判定し（Ｓ２３）、近傍に存在する可能性が高いと判定された場合には（Ｓ２３：Ｙｅｓ）、Ｓ２５へ移行して当該ユーザ集合Ｕｓｅｔを更新して他の情報端末（Ｕａ）を残存させ、近傍に存在する可能性が高くないと判定された場合には（Ｓ２３：Ｎｏ）、Ｓ２４へ移行して当該ユーザ集合Ｕｓｅｔの中からＰuay01を送信した他の情報端末（Ｕａ）を取り除く。なお、このＳ２３の判定方法については後述する。
【００２１】
続いて、Ｓ２６において、すべてのユーザ集合Ｕｓｅｔから他の情報端末の現在位置Ｙの桁であるＰuayを受信したか否かが判断され（Ｓ２６）、すべてのユーザ集合Ｕｓｅｔから他の情報端末の現在位置Ｙの桁であるＰuayの受信が終了していない場合には（Ｓ２６：Ｎｏ）、Ｓ２２の処理に戻る。すべてのユーザ集合Ｕｓｅｔから他の情報端末の現在位置Ｙの桁であるＰuayの受信が終了した場合には（Ｓ２６：Ｙｅｓ）、Ｓ２７へ移行する。ここで、Ｕｓｅｔに属する他の情報端末からの応答がないことも想定し、所定の時間応答がない場合は全てのＰuayを受信したと判定してもよい。
【００２２】
Ｓ２７において、一の情報端末１０とユーザ集合Ｕｓｅｔの他の情報端末Ｕａとが十分近傍位置にあるか否かが判定され、十分近傍位置にあると判定された場合、すなわち、一の情報端末１０及び他の情報端末の双方において、位置座標の最上位桁に至るまで送受信を終えたと判定された場合には（Ｓ２７：Ｙｅｓ）、処理を終了し、十分近傍にあると判定できない場合には（Ｓ２７：Ｎｏ）、Ｓ２８へ移行する。また、Ｕｓｅｔが空（つまり、送信する相手がいない）であった場合も終了する。すなわち、Ｓ２７：Ｎｏの場合には、ユーザ集合Ｕｓｅｔに属し、一の情報端末と近傍位置に有ると考えられる他の情報端末の候補が未だに多く存在することを意味している。なお、このＳ２７の判定方法については後述する。
【００２３】
さらに、一の情報端末１０から近傍位置にある他の情報端末Ｕａを絞るために、Ｓ２８においては、残存している他の情報端末のユーザの集合Ｕｓｅｔに対して、自端末の現在位置Ｘの次の下位桁であるＰu0x10＝１を送信する。そして、Ｓ２９において、ユーザの集合Ｕｓｅｔから、残存する他の情報端末Ｕａが居るＸＹ座標で表された現在位置の中から、他の情報端末Ｕａの現在位置Ｙの次の下位桁であるＰuay10を受信し、Ｓ２３の処理の戻り、一の情報端末１０は、判定部１５０において、当該受信されたＰuay10に基づいて、残存する他の情報端末が自端末の近傍に居る可能性があるか否かを判定する。
【００２４】
次に、本発明の実施の形態における他の情報端末２０〜２３の動作について説明する。図３は、本発明の実施形態における他の端末の動作を示すフローチャート図である。図３の説明に当たり、前提条件は上述した図２の場合と同様である。Ｓ３１において、他の情報端末２０〜２３は、一の情報端末１０のユーザＵ0から、一の情報端末１０の現在位置Ｘの下位桁であるＰu0x10＝１を受信する。Ｓ３２において、他の情報端末２０〜２３は、判定部２５０において、当該受信されたＰu0x10に基づいて、自端末が一の情報端末１０の近傍に居る可能性があるか否かを判定し、近傍に存在する可能性が高いと判定された場合には（Ｓ３２：Ｙｅｓ）、Ｓ３３へ移行して他の情報端末２０〜２３が居るＸＹ座標で表された現在位置の中から、他の情報端末の現在位置Ｙの次の下位桁を送信し、当該ユーザ集合Ｕｓｅｔとして残存することなり、近傍に存在する可能性が高くないと判定された場合には（Ｓ３２：Ｎｏ）、Ｓ３４へ移行して他の情報端末２０〜２３の現在位置Ｙの次の下位桁を送信することなく、当該ユーザ集合Ｕｓｅｔから脱落し、一の情報端末１０の近傍に居ない旨（非近傍）を送信するか、又は一の情報端末１０の近傍に居ない旨を送信せずにタイムアウトとなって終了する。なお、このＳ３２の判定方法については後述する。
【００２５】
なお、図２、図３の説明において、一の情報端末１０のユーザＵ0の現在位置Ｐu0を２次元（ＸＹ）座標で表すことで説明したが、ユーザＵ0の現在位置Ｐu0を表すのに、必ずしも２次元である必要はなく、１次元であっても良いし、また、位置情報として高さ情報も得られるのであれば３次元であっても良いことは勿論のことである。
【００２６】
ここで、一の情報端末１０と他の情報端末２０〜２３との間が近傍関係にあるか否かを判定する（図２のＳ２３、Ｓ２７、図３のＳ３２）に際し、ＸＹ座標における最下位桁の数字を送信することにより近傍関係にある他の情報端末を絞っていく点について図４を用いて詳細に説明する。図４は、本発明の実施形態における一の端末における任意の桁と同じ桁の数字が、他の端末において所定の数値範囲内にあるか否かを判定することを説明する図である。
【００２７】
いま、情報端末１０のユーザＵ0の現在位置Ｐu0を、Ｐu0＝（１３、６５）と仮定し、このＸＹ座標で表された現在位置を、各座標毎に分解して、Ｐu0x＝１３、Ｐu0y＝６５とし、一の情報端末１０が、他の情報端末のユーザの集合Ｕｓｅｔ＝１００台に対して、自端末の現在位置Ｐu0＝（１３、６５）を送信することにより、距離３以下の位置にある他の情報端末を近傍関係にある他の情報端末として探すとする。このようにすると、自端末の現在位置が１００台全ての他の情報端末に知られてしまい、一の情報端末と他の情報端末とが、双方とも完全な位置情報を秘匿しながら、近傍ユーザを徐々に選別していくという本発明の趣旨に反してしまうこととなる。
【００２８】
そこで、図２の説明において述べたように、まず、自端末の現在位置Ｘの最下位桁であるＰu0x01＝３を送信することにより、Ｐu0x01＝３から距離３以下の位置にある他の情報端末を近傍関係にある情報端末であるという判定を行った場合、図４（ｂ）の斜線部に示すように、Ｐu0x01＝３から距離３以下の位置にあるのは、Ｘ＝０〜６、１０〜１６、２０〜２６、３０〜３６、４０〜４６、５０〜５６、６０〜６６、７０〜７６、８０〜８６、９０〜９６の７０％の範囲といった非常に広い範囲内に、一の情報端末が存在することとなるため、一の情報端末１０が、果たしてＸ＝０〜６、１０〜１６、２０〜２６、３０〜３６、４０〜４６、５０〜５６、６０〜６６、７０〜７６、８０〜８６、９０〜９６の中の何れの範囲に存在するのかが分かりにくくなり、匿名性が非常に高くなる。そして一の情報端末と近傍関係にあると考えられる他の情報端末Ｐuaについても近傍端末を絞るために、他の情報端末が居るＸＹ座標で表された現在位置の中から、他の情報端末Ｕａの同様の広い範囲に位置している匿名性のある現在位置Ｙの最下位桁であるＰuay01を送信してもらうことにより、一の情報端末１０においてさらに振るいにかけ、最終的に本当に近傍関係にある他の情報端末Ｕａを探っていくのである。このように、匿名性を保ちつつ、徐々に詳細な位置情報を交換していくことになる。
【００２９】
次に、自端末Ｐu0の現在位置Ｘの次の下位桁であるＰu0x10＝１を送信すると、限られたユーザだけにＰu0x＝１３であることが知られることになる。これを仮に、まず、自端末の現在位置Ｘの最下位桁であるＰu0x10＝１を送信していたとすると、距離３以下の位置にあるのはＸ＝７〜２２の１６％の範囲といった狭い領域内にいることが知られてしまう。このため最下位桁から送信している。
【００３０】
このような処理を施すことにより、お互いに近傍関係にある可能性のないユーザを徐々に振るい落とすことができ、仮に他の情報端末のユーザが虚偽の位置情報を送信したとしても、最終的に一の情報端末の処理（図２のＳ２３、Ｓ２７）において振るい落とされることになるので、他の情報端末から一の情報端末の位置情報を知ることができず、近傍端末を検索している最中に途中でふるい落とされた他の情報端末のユーザには、一の情報端末のユーザの位置情報に関して、多くの可能性の残る非常に大雑把な位置情報しか与えられないことになる。これは、虚偽の位置情報を送信するのが、一の情報端末であった場合も同様である（他の情報端末の処理（図３のＳ３２）において振るい落とされることになる。）。
【００３１】
以上説明してきたように、本発明によれば、一の情報端末１０のユーザＵ0は、隣接可能性ユーザＵｓｅｔを知り合いの全ユーザを初期値とし、隣接判定を行い徐々に減らしていき、Ｕｓｅｔに属する他の情報端末のユーザＵａは、隣接可能性ユーザＵｓｅｔについて空集合を初期値とし、受信部２３０（図１）においてＵ0からブロードキャスト配信を受け、隣接可能性判定に合格し続ける限りＵｓｅｔをＵ0に設定し続けるのである。そして、下位桁から送信する（すなわち、Ｐu0x10よりもＰu0x01を先に送信する。）ことにより、位置情報として広い範囲に位置している可能性がある状態から、徐々に範囲を絞ることができるのである。なお、上記説明においては、座標値で表された現在位置を、各座標値を構成する下位桁から送受信する場合について説明しているが、必ずしも下位桁から行う場合に限られず、上位桁から送受信を行っても良いことは勿論のことである。
【００３２】
また、本実施形態においては、一の情報端末１０と他の情報端末２０〜２３との間の通信を、無線を介して行う例について説明しているが、通信手段は必ずしも無線に限られず、他の通信手段を用いても良いことは勿論のことである。
【００３３】
なお、この図２及び図３に示した一連の動作は、一の情報端末１０及び他の情報端末２０〜２３の図示しない制御部に設けられた図示しないＣＰＵ（Central Processing Unit）が、図示しないＲＯＭ（Read Only Memory）、ＲＡＭ（Random Access Memory）等からなる記憶部１４０、２４０に格納されたプログラムを実行することによって行われる。
【００３４】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００３５】
１０    一の情報端末
１１０、２１０    位置情報計測部
１２０、２２０    送信部
１３０、２３０    受信部
１４０、２４０    位置情報、他端末記憶部
１５０、２５０    判定部
１００  近傍端末抽出システム
２０、２１、２２、２３    他の情報端末
【図１】
0005710336.tif 000002
【図２】
0005710336.tif 000003
【図３】
0005710336.tif 000004
【図４】
0005710336.tif 000005